(57)【要約】【課題】音響特性に優れたイヤホンを提供する。【解決手段】本発明の一形態に係るイヤホン１は、ハウジング２と、ハウジング２に搭載され、音波を生成してハウジング２内に出力する第１の音源３と、を備え、ハウジング２は、使用者の耳穴に挿脱され、使用者の耳穴への挿脱方向に見て耳穴の配置領域内において、使用者側の部分に形成される外部との第１の連通孔４ｄと使用者側に対して逆側の部分に形成される外部との第２の連通孔４ｅとを有する第１の音導管４と、第１の音源３が収納される収納部５と、第１の音導管４と収納部５とを連通させる第２の音導管６と、を備える。【選択図】図４
2014197826.tif 000002
【特許請求の範囲】
【請求項１】
ハウジングと、
前記ハウジングに搭載され、音波を生成して前記ハウジング内に出力する第１の音源と、
を備え、
前記ハウジングは、
使用者の耳穴に挿脱され、使用者の耳穴への挿脱方向に見て前記耳穴の配置領域内において、使用者側の部分に形成される外部との第１の連通孔と前記使用者側に対して逆側の部分に形成される外部との第２の連通孔とを有する第１の音導管と、
前記第１の音源が収納される収納部と、
前記第１の音導管と前記収納部とを連通させる第２の音導管と、
を備えるイヤホン。
【請求項２】
前記第１の連通孔の中心及び前記第２の連通孔の中心は、使用者の耳穴の略中心軸上に配置される請求項１に記載のイヤホン。
【請求項３】
前記第１の音導管は、使用者の耳穴への挿脱方向に見て前記耳穴の配置領域外に形成される外部との第３の連通孔を備える請求項１又は２に記載のイヤホン。
【請求項４】
前記第１の音源を複数備える請求項１乃至３のいずれか１項に記載のイヤホン。
【請求項５】
前記第１の連通孔、前記第２の連通孔、又は前記第３の連通孔は、使用者の耳穴にイヤホンが挿入された状態で、使用者の耳穴への挿脱方向に沿って、耳珠先端から略２０ｍｍの範囲内に配置されている請求項３に記載のイヤホン。
【請求項６】
イヤホンの周囲の音を検出する検出手段と、
前記検出手段の検出信号に対して逆位相の信号を生成する制御手段と、
前記制御手段が生成した逆位相の信号を出力する第２の音源と、
を備える請求項１乃至５のいずれか１項に記載のイヤホン。
【請求項７】
前記制御手段は、前記検出手段の検出信号に基づいて、前記第１の音源又は前記第２の音源を制御する請求項６に記載のイヤホン。
【請求項８】
イヤホンの姿勢を検出する姿勢検出部を備える請求項１乃至７のいずれか１項に記載のイヤホン。
【請求項９】
ハウジングと、
前記ハウジングに搭載され、音波を生成して前記ハウジング内に出力する第１の音源と、
を備え、
使用者の耳穴への挿脱方向に見て前記耳穴の略中心軸上に第１の連通孔の中心が配置されるように、前記第１の連通孔が前記ハウジングの使用者側の部分に形成され、
使用者の耳穴への挿脱方向に見て前記耳穴の略中心軸上に第２の連通孔の中心が配置されるように、前記第２の連通孔が前記ハウジングの使用者側に対して逆側の部分に形成され、
前記第１の音源は、使用者の耳穴の中心軸と干渉しないように配置されているイヤホン。
【請求項１０】
使用者の耳穴への挿脱方向に見て前記耳穴の略中心軸上に第１の連通孔が配置されるように、前記第１の連通孔をハウジングの使用者側の部分に形成する工程と、
使用者の耳穴への挿脱方向に見て前記耳穴の略中心軸上に第２の連通孔が配置されるように、前記第２の連通孔を前記ハウジングの使用者側に対して逆側の部分に形成する工程と、
前記ハウジングに搭載され、音波を生成して前記ハウジング内に出力する第１の音源を使用者の耳穴の中心軸と干渉しないように配置する工程と、
を備えるイヤホンの製造方法。
【発明の詳細な説明】
【技術分野】
【０００１】
本発明は、イヤホン及びイヤホンの製造方法に関する。
【背景技術】
【０００２】
特許文献１及び２には、使用者がイヤホンを装着した際に、外部の音を聞き取ることができるようにハウジングに外部との連通孔を形成する技術が開示されている。
特許文献３には、外部の騒音を打ち消す音波を放出する雑音制御に関する技術が開示されている。
【先行技術文献】
【特許文献】
【０００３】
【特許文献１】特開２００４−２０８２２０号公報
【特許文献２】特開２００２−２２４０５０号公報
【特許文献３】特開平９−９３６８４号公報
【発明の概要】
【発明が解決しようとする課題】
【０００４】
特許文献１のイヤホンは、骨伝導タイプのイヤホンであって、振動板の振動によって音を発生させるタイプのイヤホンではない。
【０００５】
特許文献２のイヤホンは、ハウジングにおける使用者側に対して逆側の部分に外部との連通孔を形成しているため、所謂外耳道閉塞効果を低減することができるが、音響特性の改善の余地が残されている。
【０００６】
特許文献３のイヤホンは、所謂外耳道閉塞効果を回避することができる構成とされていない。つまり、特許文献３のイヤホンも、音響特性の改善の余地が残されている。
【０００７】
本発明の目的は、上述した課題を解決するためになされたものであり、音響特性に優れたイヤホン及びイヤホンの製造方法を提供することである。
【課題を解決するための手段】
【０００８】
本発明の一形態に係るイヤホンは、ハウジングと、前記ハウジングに搭載され、音波を生成して前記ハウジング内に出力する第１の音源と、を備え、前記ハウジングは、使用者の耳穴に挿脱され、使用者の耳穴への挿脱方向に見て前記耳穴の配置領域内において、使用者側の部分に形成される外部との第１の連通孔と前記使用者側に対して逆側の部分に形成される外部との第２の連通孔とを有する第１の音導管と、前記第１の音源が収納される収納部と、前記第１の音導管と前記収納部とを連通させる第２の音導管と、を備える。
【０００９】
本発明の一形態に係るイヤホンは、ハウジングと、前記ハウジングに搭載され、音波を生成して前記ハウジング内に出力する第１の音源と、を備え、使用者の耳穴への挿脱方向に見て前記耳穴の略中心軸上に第１の連通孔の中心が配置されるように、前記第１の連通孔が前記ハウジングの使用者側の部分に形成され、使用者の耳穴への挿脱方向に見て前記耳穴の略中心軸上に第２の連通孔の中心が配置され、前記第２の連通孔が前記ハウジングの使用者側に対して逆側の部分に形成されるように、前記第１の音源は、使用者の耳穴の中心軸と干渉しないように配置されている。
【００１０】
本発明の一形態に係るイヤホンの製造方法は、使用者の耳穴への挿脱方向に見て前記耳穴の略中心軸上に第１の連通孔が配置されるように、前記第１の連通孔をハウジングの使用者側の部分に形成する工程と、使用者の耳穴への挿脱方向に見て前記耳穴の略中心軸上に第２の連通孔が配置されるように、前記第２の連通孔を前記ハウジングの使用者側に対して逆側の部分に形成する工程と、前記ハウジングに搭載され、音波を生成して前記ハウジング内に出力する第１の音源を使用者の耳穴の中心軸と干渉しないように配置する工程と、を備える。
【発明の効果】
【００１１】
本発明によれば、音響特性に優れたイヤホン及びイヤホンの製造方法を提供することができる。
【図面の簡単な説明】
【００１２】
【図１】イヤホンを使用者が装着した状態を概略的に示す図である。
【図２】イヤホンを使用者が装着した状態を拡大して示す図である。
【図３Ａ】実施の形態１のイヤホンを概略的に示す正面図である。
【図３Ｂ】実施の形態１のイヤホンを概略的に示す右側面図である。
【図４】実施の形態１のイヤホンを概略的に示す縦断面図である。
【図５Ａ】ハウジングを概略的に示す組み立て斜視図である。
【図５Ｂ】ハウジングを概略的に示す異なる組み立て斜視図である。
【図６】ハウジングを概略的に示す分解斜視図である。
【図７】実施の形態２のイヤホンを概略的に示す縦断面図である。
【図８】実施の形態３のイヤホンを概略的に示す縦断面図である。
【図９】実施の形態４のイヤホンを概略的に示す縦断面図である。
【図１０】実施の形態５のイヤホンを概略的に示す縦断面図である。
【図１１】実施の形態６のイヤホンを概略的に示す正面図である。
【図１２】実施の形態６のイヤホンを概略的に示す縦断面図である。
【図１３】実施の形態７のイヤホンを概略的に示す縦断面図である。
【図１４Ａ】イヤホンの装着時に発生する外耳道閉塞効果を説明するための図である。
【図１４Ｂ】イヤホンの装着時に発生する外耳道閉塞効果を説明するための図である。
【図１４Ｃ】イヤホンの装着時に発生する外耳道閉塞効果を説明するための図である。
【発明を実施するための形態】
【００１３】
＜本発明の着想＞
ここで、一般的なイヤホンは、ハウジングに収納されたドライバ（音源）の中にある振動板の振動によって空気の粗密波を生成し、入力信号に応じた音が発生するようにされている。特に、インナ−イヤ型のイヤホンは、音導菅とイヤピースによって外耳道入口に直接音を伝えるため、効率が良い、外部音の影響が少ない、等の利点がある。
【００１４】
しかし、このようなイヤホンの課題として、バイノ−ラル録音された音源を再生する際に音像定位感の欠如が挙げられる。すなわち、音像が受聴者の頭部外側に定位しなかったり、頭部の内側から聞こえてくるように知覚したりするため、不自然さや不快を感じてしまう問題である。
【００１５】
その原因としては、主に、音の方向感を知覚するための室内外の空間の伝達関数（反射・残響）情報の欠落、及び外耳道にイヤホンを直接接続することによる外耳道の音響伝達関数の変化によるものと考えられる。
【００１６】
音の方向感は、両耳の音圧レベル差、位相差、及び反射音情報によって得られるが、イヤホンを外耳道に直接接続することにより外耳道閉塞効果が生じる。すなわち、外耳道入口を塞いで受聴することにより、外耳道の管としての共鳴特性が変化する。
【００１７】
例えば、通常、音を聞く場合には、外耳道は、図１４Ａ及び図１４Ｂのように外耳道入口を開放端とした一端開一端閉の共鳴管として作用している。
【００１８】
ところが、イヤホンを装着して音を聞く場合には、外耳道は、図１４Ｃのように外耳道入口を閉鎖端とした両端閉の共鳴管として作用するため、外耳道の共鳴周波数特性が変化し、開放端の時の共鳴ピークは生じず、約倍の周波数ピークを有する周波数特性となる。よって、これらのイヤホンでバイノ−ラル録音された音源を聞く場合には、前述の原因により音像が頭外にはっきりと定位しないという問題が生じる。
【００１９】
そこで、本出願人は、一例として以下の構成のイヤホン及びイヤホンの製造方法を提案する。
【００２０】
以下、本発明の実施の形態に係るイヤホン及びイヤホンの製造方法について説明する。但し、本発明が以下の実施の形態に限定される訳ではない。また、説明を明確にするため、以下の記載及び図面は、適宜、簡略化されている。
【００２１】
＜実施の形態１＞
図１は、本実施の形態のイヤホンを使用者が装着した状態を概略的に示す図である。図２は、本実施の形態のイヤホンを使用者が装着した状態を拡大して示す図である。図３Ａは、本実施の形態のイヤホンを概略的に示す正面図である。図３Ｂは、本実施の形態のイヤホンを概略的に示す右側面図である。図４は、本実施の形態のイヤホンを概略的に示す縦断面図である。
【００２２】
図１及び図２に示すように、本実施の形態のイヤホン１は、使用者の耳穴（通常、外耳道）に装着して使用される。イヤホン１は、図３Ａ、Ｂ及び図４に示すように、ハウジング２及び第１の音源３を備えている。
【００２３】
ハウジング２は、一般的なハウジングと同様に、例えば樹脂等で成形されている。ハウジング２は、図４に示すように、第１の音導管４、収納部５及び第２の音導管６を備えている。
【００２４】
第１の音導管４は、円筒部分４ａ、テーパー部分４ｂ及び蓋部分４ｃを備えている。円筒部分４ａは、使用者の外耳道に挿脱される。円筒部分４ａにおける使用者側の端部の開口部は、外部とハウジング２内とを連通させる第１の連通孔４ｄとなる。第１の連通孔４ｄは、外耳道への挿脱方向に見て当該外耳道の配置領域内に配置されている。
【００２５】
円筒部分４ａの使用者側の端部には、イヤピース７が嵌合されている。イヤピース７は、一般的なイヤピースと同様に、弾力のあるエラストマ（シリコンゴム）等で成形されている。円筒部分４ａの使用者側に対して逆側の端部は、テーパー部分４ｂと連続している。
【００２６】
テーパー部分４ｂは、中空の略円錐形状に形成されている。詳細には、テーパー部分４ｂは、使用者側に向かって縮径するように形成されており、使用者側の端部が円筒部分４ａにおける使用者側に対して逆側の端部に連続している。テーパー部分４ｂにおける使用者側に対して逆側の端部は、蓋部分４ｃによって部分的に塞がれている。
【００２７】
蓋部分４ｃには、外部とハウジング２内とを連通させる第２の連通孔４ｅが形成されている。第２の連通孔４ｅは、外耳道への挿脱方向に見て当該外耳道の配置領域内に形成されている。詳細には、第２の連通孔４ｅは、外耳道への挿脱方向に見て円形に形成されており、第１の連通孔４ｄと重なるように配置されている。但し、第２の連通孔４ｅの形状は、円形に限定されず、他の形状でもよい。
【００２８】
収納部５は、第１の音源３を収納している。第１の音源３は、図示を省略するが、一般的にイヤホンに用いられるドライバと同様に、磁石、ムービングコイル及び振動板等を備えている。第１の音源３は、信号線８を介して外部の制御装置９から入力される制御信号に基づいて駆動する。
【００２９】
第２の音導管６は、第１の音導管４と収納部５とを連通させる。詳細には、第２の音導管６は、円筒形状であって、一方の端部は第１の音導管４に形成された開口部４ｆに連結されている。また、第２の音導管６における他方の端部は、収納部５における振動板が配置された側の部分に形成された開口部５ａに連結されている。これにより、第１の音源３から出力された音は、第２の音導管６を介して第１の音導管４に導かれ、使用者の外耳道に放出される。
【００３０】
このような構成のイヤホン１は、以下の要領で製造される。ここで、図５Ａは、ハウジングを概略的に示す組み立て斜視図である。図５Ｂは、ハウジングを概略的に示す異なる組み立て斜視図である。図６は、ハウジングを概略的に示す分解斜視図である。
【００３１】
先ず、第１の音導管４と第２の音導管６との一体物が縦に分割された分割片１０ａ、１０ｂを組み合わせ、その後に第１の連通孔４ｄ側に対して逆側の開口部を蓋部分４ｃで部分的に塞ぐ。このとき、第１の連通孔４ｄ及び第２の連通孔４ｅは、使用者の外耳道への挿脱方向に見て当該外耳道の配置領域内に配置される。
【００３２】
次に、第１の音源３が収納された収納部５の開口部５ａに第２の音導管６の端部を接合すると右耳用又は左耳用の構造体が完成する。
【００３３】
上記構造体をもう一つ作成し、最後に第１の音導管４の使用者側の端部にイヤピース７を嵌め込むとイヤホン１が完成する。
【００３４】
このように第１の連通孔４ｄ及び第２の連通孔４ｅを、使用者の外耳道への挿脱方向に見て当該外耳道の配置領域内に配置したので、イヤホン１を外耳道に直接接続することで発生する外耳道閉塞効果を抑制することができる。
【００３５】
しかも、イヤホンを接続していない耳の状態により近づけることができ、外耳道の音響伝達関数変化への影響を低減することが可能となる。故に自然な音像定位が実現できる。つまり、本実施の形態のイヤホンは、現実の音波が外耳道内へ入射するのとほぼ同じ状態に近づける構造を実現したため、空間音像情報を有する音響再生に対し、良好な空間音像定位が得られる。これにより、映画館の様な超臨場感な音響再現や、気配の再現、音響を使った方向指示、ナビケ−ション、存在感の分かる遠隔コミュニケ−ションなどに応用できる。
【００３６】
ここで、第１の連通孔４ｄの中心及び第２の連通孔４ｅの中心は、外耳道の略中心軸Ｌ上に配置されていることが好ましい。言い換えれば、第１の連通孔４ｄの中心及び第２の連通孔４ｅの中心は、第１の音導管４の円筒部分４ａの略中心線上に配置されていることが好ましい。これにより、第１の連通孔４ｄと第２の連通孔４ｅとは一直線上に配置され、外耳道閉塞効果をより抑制することができる。
【００３７】
特に、本実施の形態では、第１の音導管４とは別に第１の音源３を収納する収納部５を設け、当該収納部５と第１の音導管４とを第２の音導管６で接続したので、第１の連通孔４ｄと第２の連通孔４ｅとの間に部材が配置されておらず、第１の連通孔４ｄと第２の連通孔４ｅとを結ぶ連通路が真っ直ぐに形成される。そのため、外耳道閉塞効果をより抑制することができる。しかも第１の音導管４内に大きな容量の音響室を確保することができる。その結果、本実施の形態のイヤホン１は、音響特性に優れている。
【００３８】
ここで、イヤホン１のハウジング２には、第１の連通孔４ｄ及び第２の連通孔４ｅに加えて、第３の連通孔４ｇも形成されていることが好ましい。第３の連通孔４ｇは、使用者の外耳道への挿脱方向に見て当該外耳道の配置領域外に配置されている。本実施の形態の第３の連通孔４ｇは、テーパー部分４ｂにおける蓋部分４ｃ側の縁に沿って複数個形成されている。これにより、第１の連通孔４ｄ及び第２の連通孔４ｅとの相乗効果が生まれ、イヤホンの無い耳の状態により近づけることができる。その結果、より自然な音像定位が実現できる。
【００３９】
また、連通孔を通した音の伝搬は、使用者の耳介の影響と密接に関係するため耳介と影響可能な範囲に連通孔を配置する必要がある。そこで、第１の連通孔４ｄ、第２の連通孔４ｅ及び第３の連通孔４ｇは、図２に示すように、使用者の外耳道への挿脱方向に沿って当該使用者の耳珠先端から約２０ｍｍの範囲内に配置されていることが好ましい。これにより、連通孔を通した音は耳介と影響しイヤホンの無い耳の状態に近づけることができる。
【００４０】
さらに、イヤホン１は、図示を省略するが、所謂ノイズキャンセラーを備えていることが好ましい。つまり、イヤホン１は、イヤホン１の周囲の音を検出する検出部、検出部の検出信号に対して逆位相の信号を生成する制御部及び制御部が生成した逆位相の信号を出力する第２の音源を備えていることが好ましい。これにより、連通孔から漏れ出た音を打ち消すことができる。このとき、検出部の検出信号に基づいて第１の音源３及び第２の音源を制御することが好ましい。例えばイヤホン１の外部の音が大きい場合には、第１の音源３及び第２の音源から出力される音を大きくし、イヤホン１の外部の音が小さい場合には、第１の音源３及び第２の音源から出力される音を小さくする。
【００４１】
＜実施の形態２＞
本実施の形態のイヤホンは、特性が略等しい（即ち、再生周波数帯が略等しい）複数の第１の音源を備えている。なお、本実施の形態のイヤホンは、実施の形態１のイヤホンと略同様の構成であるため、重複する説明は省略し、同一の要素には同一の符号を用いて説明する。
【００４２】
図７は、本実施の形態のイヤホン４１を概略的に示す縦断面図である。図７に示すように、本実施の形態のイヤホン４１は、特性が略等しい複数（図示例では２つ）の第１の音源４２を備えている。第１の音源４２は、実施の形態１の第１の音源３と略同様の構成とされており、信号線８を介して外部の制御装置９から入力される制御信号に基づいて駆動する。ちなみに、本実施の形態の収納部５は、複数の第１の音源４２から出力される音が第２の音導管６に良好に導かれるように、当該第２の音導管６に向かって縮径する形状とされている。
【００４３】
制御信号としては、第１の音源４２毎に同一の信号が入力される場合や、第１の音源４２毎に異なる信号が入力される場合がある。これらの第１の音源４２を用いたり、第１の音源４２を個別の信号で駆動させたりすることにより、より良好な音像定位が得られる。
【００４４】
例えばイヤホンが３つの第１の音源を備える場合、１つ目の第１の音源は２ｋＨｚより低い帯域（低周波）、２つ目の第１の音源は２ｋＨｚ〜４ｋＨｚの帯域、３つ目の第１の音源は４ｋＨｚ〜６ｋＨｚの帯域を強調させた制御信号で駆動させるとか、可聴帯域全体を３分割して各周波数帯域を強調した制御信号で駆動させるなどが考えられる。つまり、複数の第１の音源の特性が略等しい場合において、第１の音源毎の再生周波数帯域を異なる制御信号で制御することができる。
【００４５】
＜実施の形態３＞
本実施の形態のイヤホンは、特性が異なる複数の第１の音源を備えている。なお、本実施の形態のイヤホンは、実施の形態１のイヤホンと略同様の構成であるため、重複する説明は省略し、同一の要素には同一の符号を用いて説明する。
【００４６】
図８は、本実施の形態のイヤホン５１を概略的に示す縦断面図である。図８に示すように、本実施の形態のイヤホン５１は、特性が異なる複数（図示例では２つ）の第１の音源５２を備えている。これらの第１の音源５２は、実施の形態１の第１の音源３と略同様の構成とされており、信号線８を介して外部の制御装置９から入力される制御信号に基づいて駆動する。
【００４７】
制御信号としては、実施の形態２と同様に第１の音源５２毎に同一の信号が入力される場合や、第１の音源５２毎に異なる信号が入力される場合がある。これらの第１の音源５２を用いたり、第１の音源５２を個別の信号で駆動させたりすることにより、より良好な音像定位が得られる。
【００４８】
例えばイヤホンが３つの第１の音源を備える場合、１つ目の第１の音源は２ｋＨｚより低い帯域（低周波）、２つ目の第１の音源は２ｋＨｚ〜４ｋＨｚの帯域、３つ目の第１の音源は４ｋＨｚ〜６ｋＨｚの帯域を強調させた特性とすれば、同一の制御信号で駆動させたとしても各周波数を異なる信号で駆動させた場合と同様の効果が得られる。
【００４９】
また、同様に可聴帯域全体を３分割して各周波数帯域を強調する第１の音源を複数備える構成なども考えられる。
【００５０】
更に、第１の音源の特性毎に制御信号を変更することにより周波数特性を強調したり弱めたりすること等もできる。
【００５１】
＜実施の形態４＞
本実施の形態のイヤホンは、第１の音導管４における第１の連通孔４ｄに対して逆側の開口部に第１の音源の収納部が連結されている。なお、本実施の形態のイヤホンは、実施の形態１のイヤホンと略同様の構成であるため、重複する説明は省略し、同一の要素には同一の符号を用いて説明する。
【００５２】
図９は、本実施の形態のイヤホン２１を概略的に示す縦断面図である。図９に示すように、収納部２２が第１の音導管４における第１の連通孔４ｄ側に対して逆側の端部に連結されている。つまり、実施の形態１のイヤホン１の蓋部分４ｃの代わりに、収納部２２が第１の音導管４に連結されている。ここで、第１の連通孔４ｄの中心は、使用者の外耳道の略中心線Ｌ上に配置されている。
【００５３】
収納部２２は、第１の音源２３を収納する。この収納部２２は、使用者側の側部２２ａ、周側部２２ｂ及び使用者側に対して逆側の側部２２ｃを備えており、基本形態が中空の円柱形状に形成されている。収納部２２は、第１の音導管４における第１の連通孔４ｄ側に対して逆側の端部から連続している。
【００５４】
使用者側の側部２２ａは、例えば使用者の外耳道の中心線Ｌに対して直交するように配置されており、第１の音導管４における第１の連通孔４ｄ側に対して逆側の端部に連結されている。使用者側の側部２２ａの略中央部には、第１の音導管４と収納部２２とを連通させる第４の連通孔２２ｄが形成されている。つまり、使用者側の側部２２ａは、第１の音導管４と収納部２２とを連結する音導管として機能する。
【００５５】
第４の連通孔２２ｄは、使用者の外耳道への挿脱方向に見て例えば円形に形成されており、中心が使用者の外耳道の略中心線Ｌ上に配置されている。但し、第４の連通孔２２ｄの形状は、特に限定されず、第４の連通孔２２ｄの中心が使用者の外耳道の略中心線Ｌ上に配置されていればよい。ちなみに、本実施の形態では、第４の連通孔２２ｄに連通して使用者側に対して逆側の側部２２ｃに向かって突出する連通路２２ｅが使用者側の側部２２ａに設けられている。
【００５６】
使用者側の側部２２ａにおける第４の連通孔２２ｄの周辺には、第５の連通孔２２ｆが形成されている。つまり、第５の連通孔２２ｆは、第４の連通孔２２ｄを囲むように配置されている。
【００５７】
周側部２２ｂは、使用者側の側部２２ａと使用者側に対して逆側の側部２２ｃとを連結する。周側部２２ｂの外径は、第１の音導管４における第１の連通孔４ｄ側に対して逆側の端部の外径と略等しい。
【００５８】
使用者側に対して逆側の側部２２ｃは、例えば使用者の外耳道の中心軸Ｌに対して直交するように配置されている。使用者側に対して逆側の側部２２ｃには、収納部２２と外部とを連通させる第２の連通孔２２ｇが形成されている。
【００５９】
第２の連通孔２２ｇは、使用者の外耳道への挿脱方向に見て例えば円形に形成されており、中心が使用者の外耳道の略中心線Ｌ上に配置されている。つまり、第１の連通孔４ｄの中心、第４の連通孔２２ｄの中心及び第２の連通孔２２ｇの中心は、使用者の外耳道の略中心軸Ｌ上に配置されている。但し、第２の連通孔２２ｇの形状は、特に限定されず、第２の連通孔２２ｇの中心が使用者の外耳道の略中心線Ｌ上に配置されていればよい。
【００６０】
第１の音源２３は、磁石２４、ムービングコイル２５及び振動板２６等を備えており、使用者側から順に振動板２６、ムービングコイル２５、磁石２４の順で配置されている。磁石２４、ムービングコイル２５及び振動板２６は、使用者の外耳道への挿脱方向に見て少なくとも第４の連通孔２２ｄと重なる領域に連通孔が形成されている。
【００６１】
本実施の形態の磁石２４は、使用者の外耳道への挿脱方向に見て第２の連通孔２２ｇと重なる領域に連通孔２４ａを有する円筒形状に形成されている。そして、磁石２４は、使用者側に対して逆側の側部２２ｃに固定されている。
【００６２】
ムービングコイル２５は、使用者の外耳道への挿脱方向に見て第２の連通孔２２ｇと重なる領域に連通孔２５ａを有する円筒形状に形成されている。振動板２６は、使用者の外耳道への挿脱方向に見て第４の連通孔２２ｄと重なる領域に連通孔２６ａを有する円盤形状に形成されている。
【００６３】
振動板２６は、ムービングコイル２５における使用者側の面に接合されている。そして、振動板２６は、弾性支持体２７を介して周側部２２ｂと連通路２２ｅとに連結されている。これにより、ムービングコイル２５及び振動板２６は、収納部２２に支持されている。
【００６４】
このように第１の連通孔４ｄの中心、第４の連通孔２２ｄの中心及び第２の連通孔２２ｇの中心を使用者の外耳道の略中心線Ｌ上に配置したので、外耳道閉塞効果を抑制することができ、結果として優れた音響特性を得ることができる。
【００６５】
＜実施の形態５＞
本実施の形態のイヤホンは、複数の第１の音源を備えている。なお、本実施の形態のイヤホンは、実施の形態４のイヤホン２１と略同様の構成とされているため、重複する説明は省略し、同一の要素には同一の符号を用いて説明する。
【００６６】
図１０は、本実施の形態のイヤホンを概略的に示す縦断面図である。図１０に示すように、本実施の形態のイヤホン６１も、収納部６２が第１の音導管４における第１の連通孔４ｄ側に対して逆側の端部に連結されており、収納部６２内に複数の第１の音源６３が収納されている。
【００６７】
詳細には、収納部６２は、使用者側の側部６２ａ、周側部６２ｂ及び使用者側に対して逆側の側部６２ｃを備えており、基本形態が中空の円柱形状に形成されている。収納部６２は、第１の音導管４における第１の連通孔４ｄ側に対して逆側の端部から連続している。
【００６８】
使用者側の側部６２ａは、例えば使用者の外耳道の中心線Ｌに対して直交するように配置されており、第１の音導管４における第１の連通孔４ｄ側に対して逆側の端部に連結されている。使用者側の側部６２ａの略中央部には、第１の音導管４と収納部６２とを連通させる第４の連通孔６２ｄが形成されている。
【００６９】
第４の連通孔６２ｄは、使用者の外耳道への挿脱方向に見て例えば円形に形成されており、中心が使用者の外耳道の略中心線Ｌ上に配置されている。但し、第４の連通孔６２ｄの形状は、特に限定されず、第４の連通孔６２ｄの中心が使用者の外耳道の略中心線Ｌ上に配置されていればよい。
【００７０】
使用者側の側部６２ａにおける第４の連通孔６２ｄの周辺には、複数の第５の連通孔６２ｅが形成されている。つまり、複数の第５の連通孔６２ｅは、第４の連通孔６２ｄを囲むように配置されている。本実施の形態の第５の連通孔６２ｅは、第１の音源６３の配置に対応するように配置されており、使用者の外耳道への挿脱方向に見て例えば当該中心線Ｌを中心とする点対称に配置されている。
【００７１】
使用者側に対して逆側の側部６２ｃは、例えば使用者の外耳道の中心軸Ｌに対して直交するように配置されている。使用者側に対して逆側の側部６２ｃには、収納部６２と外部とを連通させる第２の連通孔６２ｆが形成されている。
【００７２】
第２の連通孔６２ｆは、使用者の外耳道への挿脱方向に見て例えば円形に形成されており、中心が使用者の外耳道の略中心線Ｌ上に配置されている。そして、第２の連通孔６２ｆは、使用者の外耳道への挿脱方向に見て第４の連通孔６２ｄと略重なるように配置され、第４の連通孔６２ｄと略等しい直径とされている。なお、第２の連通孔６２ｆの形状は、特に限定されず、第２の連通孔６２ｆの中心が使用者の外耳道の略中心線Ｌ上に配置されていればよい。
【００７３】
第２の連通孔６２ｆと第４の連通孔６２ｄとは、連通路６２ｇによって連結されている。連通路６２ｇは、円筒形状に形成されており、中心が使用者の外耳道の略中心線Ｌ上に配置されている。つまり、第１の連通孔４ｄの中心、第４の連通孔６２ｄの中心、連通路６２ｇの中心及び第２の連通孔６２ｆの中心は、使用者の外耳道の略中心軸Ｌ上に配置されている。
【００７４】
周側部６２ｂは、使用者側の側部６２ａと使用者側に対して逆側の側部６２ｃとを連結する。周側部６２ｂの外径は、第１の音導管４における第１の連通孔４ｄ側に対して逆側の端部の外径と略等しい。
【００７５】
第１の音源６３は、実施の形態２や３の第１の音源と同様の構成とされている。つまり、複数の第１の音源６３は、特性の等しい複数の第１の音源６３、特性の異なる複数の第１の音源６３、又はそれらの組み合わせであり、第１の音源６３毎に等しい制御信号、又は異なる制御信号が入力される。
【００７６】
これらの第１の音源６３は夫々、第５の連通孔６２ｅに対応するように収納部６２内に収容されている。例えば、使用者の外耳道への挿脱方向に見て第１の音源６３の中心と第５の連通孔６２ｅの中心とが略等しい位置に配置されている。
【００７７】
このようなイヤホン６１は、第１の連通孔４ｄの中心、第４の連通孔６２ｄの中心、連通路６２ｇの中心及び第２の連通孔６２ｆの中心を使用者の外耳道の略中心線Ｌ上に配置したので、外耳道閉塞効果を抑制することができ、結果として優れた音響特性を得ることができる。
【００７８】
＜実施の形態６＞
本実施の形態のイヤホンも、複数の第１の音源を備えている。なお、本実施の形態のイヤホンは、実施の形態５のイヤホン６１と略同様の構成とされているため、重複する説明は省略し、同一の要素には同一の符号を用いて説明する。
【００７９】
図１１は、本実施の形態のイヤホンを概略的に示す正面図である。図１２は、本実施の形態のイヤホンを概略的に示す縦断面図である。図１１及び図１２に示すように、本実施の形態のイヤホン７１も、収納部７２が第１の音導管４における第１の連通孔４ｄ側に対して逆側の端部に連結されており、収納部７２内に複数の第１の音源６３が収納されている。
【００８０】
詳細には、収納部７２は、周側部７２ａ及び使用者側に対して逆側の側部７２ｂを備えており、第１の音導管４における第１の連通孔４ｄ側に対して逆側の端部から連続して使用者に対して逆側に拡径する形状とされている。例えば、収納部７２は、４つの等しい円錐形状を１つに束ねた際に形成される外形の如き外形を有し、内部に中空部を有する。そして、収納部７２は、第１の音導管４と遮る物なく連通されている。
【００８１】
使用者側に対して逆側の側部７２ｂは、例えば使用者の外耳道の中心軸Ｌに対して直交するように配置されている。この使用者側に対して逆側の側部７２ｂは、使用者の外耳道への挿脱方向に所定の厚さを有し、複数の第１の音源６３が嵌め込まれる嵌合部７２ｃが形成されている。
【００８２】
また、使用者側に対して逆側の側部７２ｂには、収納部７２と外部とを連通させる第２の連通孔７２ｄが形成されている。第２の連通孔７２ｄは、例えば使用者の外耳道への挿脱方向に見て円形に形成されており、中心が使用者の外耳道の略中心線Ｌ上に配置されている。なお、第２の連通孔７２ｄの形状は、特に限定されず、第２の連通孔７２ｄの中心が使用者の外耳道の略中心線Ｌ上に配置されていればよい。
【００８３】
さらに、使用者側に対して逆側の側部７２ｂには、第２の連通孔７２ｄに連通して使用者側に向かって突出する連通路７２ｅが設けられている。本実施の形態の連通路７２ｅは、例えば円筒形状に形成されており、連通路７２ｅの中心が使用者の外耳道の略中心線Ｌ上に配置されている。つまり、第１の連通孔４ｄの中心、連通路７２ｅの中心及び第２の連通孔７２ｄの中心とは、使用者の外耳道の略中心軸Ｌ上に配置されている。
【００８４】
第１の音源６３は夫々、収納部７２の嵌合部７２ｃに嵌め込まれている。嵌合部７２ｃに嵌め込まれた第１の音源６３は、例えば、使用者の外耳道への挿脱方向に見て当該外耳道の中心線Ｌを中心とする点対称に配置される。
【００８５】
このようなイヤホン７１は、第１の連通孔４ｄの中心、連通路７２ｅの中心及び第２の連通孔７２ｄの中心を使用者の外耳道の略中心線Ｌ上に配置したので、外耳道閉塞効果を抑制することができ、結果として優れた音響特性を得ることができる。
【００８６】
＜実施の形態７＞
本実施の形態のイヤホンは、所謂ノイズキャンセラーを備えている。なお、本実施の形態のイヤホンは、実施の形態４のイヤホン２１と略同様の構成とされているため、重複する説明は省略し、同一の要素には同一の符号を用いて説明する。
【００８７】
図１３は、本実施の形態のイヤホン３１を概略的に示す縦断面図である。図１３に示すように、収納部２２内に第１の音源２３に加えてノイズキャンセラー３２が収納されている。ノイズキャンセラー３２は、一般的なノイズキャンセラーと同様に、検出部３３、制御装置３４及び出力部３５を備えている。
【００８８】
本実施の形態では、第２の連通孔２２ｇと連通して使用者側に突出する連通路２２ｈが使用者側に対して逆側の側部２２ｃに設けられている。また、使用者側に対して逆側の側部２２ｃには、ノイズキャンセラー３２で生成された音を放出する第６の連通孔２２ｉが形成されている。さらに、周側部２２ｂには、磁石２４を支持するための支持部２２ｊが形成されている。
【００８９】
検出部３３は、マイクロフォンを備えており、イヤホン３１の周囲の音を検出し、信号線３６を介して検出信号を制御装置３４に出力する。検出部３３は、使用者側に対して逆側の側部２２ｃに設けられている。
【００９０】
制御装置３４は、入力された検出信号の逆位相の信号を生成し、信号線３６を介して生成した信号を出力部３５に出力する。なお、制御装置３４としては、実施の形態１の制御装置９を用いることができる。
【００９１】
出力部３５は、第２の音源として機能する。つまり、出力部３５は、第１の音源２３と共通要素である磁石２４、ムービングコイル３７及び振動板３８を備えており、使用者側から順に、磁石２４、ムービングコイル３７、振動板３８の順で配置されている。
【００９２】
磁石２４は、周側部２２ｂに形成された支持部２２ｊに支持されている。ムービングコイル３７及び振動板３８は、使用者の外耳道への挿脱方向に見て第２の連通孔２２ｇ及び第４の連通孔２２ｄと重なる領域に連通孔が形成されている。
【００９３】
本実施の形態のムービングコイル３７は、使用者の外耳道への挿脱方向に見て第２の連通孔２２ｇ及び第４の連通孔２２ｄと重なる領域に連通孔３７ａを有する円筒形状に形成されている。振動板３８は、使用者の外耳道への挿脱方向に見て第２の連通孔２２ｇ及び第４の連通孔２２ｄと重なる領域に連通孔３８ａを有する円盤形状に形成されている。
【００９４】
振動板３８は、ムービングコイル３７の使用者側に対して逆側の面に接合されている。そして、振動板３８は、弾性支持体３９を介して周側部２２ｂと連通路２２ｈとに連結されている。これにより、ムービングコイル３７及び振動板３８は、収納部２２に支持されている。
【００９５】
このようなノイズキャンセラー３２は、第２の連通孔２２ｇ及び第３の連通孔４ｇから放出される音を検出部３３で検出し、検出信号の逆位相の信号を制御装置３４によって生成し、生成した信号を出力部３５から第６の連通孔２２ｉを介してイヤホン３１の外部に放出する。
【００９６】
そのため、本実施の形態のイヤホン３１は、実施の形態２のイヤホン２１の効果に加えて、第２の連通孔２２ｇ及び第３の連通孔４ｇから放出される音をノイズキャンセラー３２によって減音することができ、周囲への音漏れを抑制することができる。
【００９７】
このとき、検出部３３の検出信号に基づいて第１の音源２３及び出力部３５を制御することが好ましい。例えばイヤホン３１の外部の音が大きい場合には、第１の音源２３及び出力部３５から出力される音を大きくし、イヤホン３１の外部の音が小さい場合には、第１の音源３及び出力部３５から出力される音を小さくする。
＜他の実施の形態＞
実施の形態１乃至７のイヤホンは、図示を省略するが、イヤホンの姿勢を検出する姿勢検出部を備えていることが好ましい。姿勢検出部としては、加速度センサやジャイロセンサを用いることができる。
【００９８】
姿勢検出部によってイヤホンの姿勢を検出することで、使用者の頭部の動きに対して音像定位位置を制御し空間に音像が固定しているかのような音像を再現することができる。
【００９９】
本発明は上記実施の形態に限られたものではなく、趣旨を逸脱しない範囲で適宜変更することが可能である。
【０１００】
上記実施形態の一部又は全部は、以下の付記のようにも記載されうるが、以下には限られない。
【０１０１】
（付記１）
ハウジングと、
前記ハウジングに搭載され、音波を生成して前記ハウジング内に出力する第１の音源と、
を備え、
前記ハウジングは、
使用者の耳穴に挿脱され、使用者の耳穴への挿脱方向に見て前記耳穴の配置領域内において、使用者側の部分に形成される外部との第１の連通孔と前記使用者側に対して逆側の部分に形成される外部との第２の連通孔とを有する第１の音導管と、
前記第１の音源が収納される収納部と、
前記第１の音導管と前記収納部とを連通させる第２の音導管と、
を備えるイヤホン。
【０１０２】
（付記２）
前記第１の連通孔の中心及び前記第２の連通孔の中心は、使用者の耳穴の略中心軸上に配置される付記１に記載のイヤホン。
【０１０３】
（付記３）
前記第１の音導管は、使用者の耳穴への挿脱方向に見て前記耳穴の配置領域外に形成される外部との第３の連通孔を備える付記１又は２に記載のイヤホン。
【０１０４】
（付記４）
前記第１の音源を複数備える付記１乃至３のいずれか１項に記載のイヤホン。
【０１０５】
（付記５）
複数の第１の音源は、再生周波数帯域が異なる第１の音源を備える付記４に記載のイヤホン。
【０１０６】
（付記６）
複数の第１の音源は、同一又は個別の制御信号により駆動する付記４又は５に記載のイヤホン。
【０１０７】
（付記７）
前記第１の連通孔、前記第２の連通孔、又は前記第３の連通孔は、使用者の耳穴にイヤホンが挿入された状態で、使用者の耳穴への挿脱方向に沿って、耳珠先端から略２０ｍｍの範囲内に配置されている付記３乃至６に記載のイヤホン。
【０１０８】
（付記８）
イヤホンの周囲の音を検出する検出手段と、
前記検出手段の検出信号に対して逆位相の信号を生成する制御手段と、
前記制御手段が生成した逆位相の信号を出力する第２の音源と、
を備える付記１乃至７のいずれか１項に記載のイヤホン。
【０１０９】
（付記９）
前記制御手段は、前記検出手段の検出信号に基づいて、前記第１の音源又は前記第２の音源を制御する付記８に記載のイヤホン。
【０１１０】
（付記１０）
イヤホンの姿勢を検出する姿勢検出部を備える付記１乃至９のいずれか１項に記載のイヤホン。
【０１１１】
（付記１１）
ハウジングと、
前記ハウジングに搭載され、音波を生成して前記ハウジング内に出力する第１の音源と、
を備え、
使用者の耳穴への挿脱方向に見て前記耳穴の略中心軸上に第１の連通孔の中心が配置されるように、前記第１の連通孔が前記ハウジングの使用者側の部分に形成され、
使用者の耳穴への挿脱方向に見て前記耳穴の略中心軸上に第２の連通孔の中心が配置されるように、前記第２の連通孔が前記ハウジングの使用者側に対して逆側の部分に形成され、
前記第１の音源は、使用者の耳穴の中心軸と干渉しないように配置されているイヤホン。
【０１１２】
（付記１２）
前記第１の連通孔の中心及び前記第２の連通孔の中心は、使用者の耳穴の略中心軸上に配置される付記１１に記載のイヤホン。
【０１１３】
（付記１３）
前記第１の音導管は、使用者の耳穴への挿脱方向に見て前記耳穴の配置領域外に形成される外部との第３の連通孔を備える付記１１又は１２に記載のイヤホン。
【０１１４】
（付記１４）
前記第１の音源を複数備える付記１１乃至１３のいずれか１項に記載のイヤホン。
【０１１５】
（付記１５）
複数の第１の音源は、再生周波数帯域が異なる第１の音源を備える付記１４に記載のイヤホン。
【０１１６】
（付記１６）
複数の第１の音源は、同一又は個別の制御信号により駆動する付記１４又は１５に記載のイヤホン。
【０１１７】
（付記１７）
前記第１の連通孔、前記第２の連通孔、又は前記第３の連通孔は、使用者の耳穴にイヤホンが挿入された状態で、使用者の耳穴への挿脱方向に沿って、耳珠先端から略２０ｍｍの範囲内に配置されている付記１３乃至１６に記載のイヤホン。
【０１１８】
（付記１８）
イヤホンの周囲の音を検出する検出手段と、
前記検出手段の検出信号に対して逆位相の信号を生成する制御手段と、
前記制御手段が生成した逆位相の信号を出力する第２の音源と、
を備える付記１１乃至１７のいずれか１項に記載のイヤホン。
【０１１９】
（付記１９）
前記制御手段は、前記検出手段の検出信号に基づいて、前記第１の音源又は前記第２の音源を制御する付記１８に記載のイヤホン。
【０１２０】
（付記２０）
イヤホンの姿勢を検出する姿勢検出部を備える付記１１乃至１９のいずれか１項に記載のイヤホン。
【０１２１】
（付記２１）
使用者の耳穴への挿脱方向に見て前記耳穴の略中心軸上に第１の連通孔が配置されるように、前記第１の連通孔をハウジングの使用者側の部分に形成する工程と、
使用者の耳穴への挿脱方向に見て前記耳穴の略中心軸上に第２の連通孔が配置されるように、前記第２の連通孔を前記ハウジングの使用者側に対して逆側の部分に形成する工程と、
前記ハウジングに搭載され、音波を生成して前記ハウジング内に出力する第１の音源を使用者の耳穴の中心軸と干渉しないように配置する工程と、
を備えるイヤホンの製造方法。
【符号の説明】
【０１２２】
１  イヤホン
２  ハウジング
３  第１の音源
４  第１の音導管、４ａ  円筒部分、４ｂ  テーパー部分、４ｃ  蓋部分、４ｄ  第１の連通孔、４ｅ  第２の連通孔、４ｆ  開口部、４ｇ  第３の連通孔
５  収納部、５ａ  開口部
６  第２の音導管
７  イヤピース
８  信号線
９  制御装置
１０ａ  、１０ｂ  分割片
２１  イヤホン
２２  収納部、２２ａ  使用者側の側部、２２ｂ  周側部、２２ｃ  使用者側に対して逆側の側部、２２ｄ  第４の連通孔、２２ｅ  連通路、２２ｆ  第５の連通孔、２２ｇ  第２の連通孔、２２ｈ  連通路、２２ｉ  第６の連通孔、２２ｊ  支持部
２３  第１の音源
２４  磁石、２４ａ  連通孔
２５  ムービングコイル、２５ａ  連通孔
２６  振動板、２６ａ  連通孔
２７  弾性支持体
３１  イヤホン
３２  ノイズキャンセラー
３３  検出部
３４  制御装置
３５  出力部
３６  信号線
３７  ムービングコイル、３７ａ  連通孔
３８  振動板、３８ａ  連通孔
３９  弾性支持体
４１  イヤホン
４２  第１の音源
５１  イヤホン
５２  第１の音源
６１  イヤホン
６２  収納部、６２ａ  使用者側の側部、６２ｂ  周側部、６２ｃ  使用者側に対して逆側の側部、６２ｄ  第４の連通孔、６２ｅ  第５の連通孔、６２ｆ  第２の連通孔、６２ｇ  連通路
６３  第１の音源
７１  イヤホン
７２  収納部、７２ａ  周側部、７２ｂ  使用者側に対して逆側の側部、７２ｃ  嵌合部、７２ｄ  第２の連通孔、７２ｅ  連通路
Ｌ  使用者の耳穴の中心線
【図１】
2014197826.tif 000003
【図２】
2014197826.tif 000004
【図３Ａ】
2014197826.tif 000005
【図３Ｂ】
2014197826.tif 000006
【図４】
2014197826.tif 000007
【図７】
2014197826.tif 000008
【図８】
2014197826.tif 000009
【図９】
2014197826.tif 000010
【図１０】
2014197826.tif 000011
【図１２】
2014197826.tif 000012
【図１３】
2014197826.tif 000013
【図１４Ａ】
2014197826.tif 000014
【図１４Ｂ】
2014197826.tif 000015
【図１４Ｃ】
2014197826.tif 000016
【図５Ａ】
2014197826.tif 000017
【図５Ｂ】
2014197826.tif 000018
【図６】
2014197826.tif 000019
【図１１】
2014197826.tif 000020